(57)【要約】【課題】  本発明の課題は、下方側が外側へ膨らんだ形状の商品を良好に包装できる包装ケースを提供することである。【解決手段】  シート材を折り罫線において折り曲げて箱状に組み立てた包装ケース１であって、対向する前後面壁２，３と、前後面壁２，３間の上下に対向配置された上下面壁４，５と、前後面壁２，３間の両側に対向配置された両側面壁６，７と、を有する略６面体状に形成され、上面壁４の側辺が、下面壁５の側辺よりも短く形成されており、側面壁６，７の下辺が、下面壁５の側辺よりも長く形成されていると共に、該側面壁６，７の下辺が、下面壁５の側辺とは独立した自由辺とされている。【選択図】      図１
2008239241.tif 000002
【特許請求の範囲】
【請求項１】
シート材を折り罫線において折り曲げて箱状に組み立てた包装ケースであって、
対向する前後面壁と、前後面壁間の上下に対向配置された上下面壁と、前後面壁間の両側に対向配置された両側面壁と、を有し、
上面壁の側辺が、下面壁の側辺よりも短く形成されており、
側面壁の下辺が、下面壁の側辺よりも長く形成されていると共に、側面壁の下辺が、下面壁の側辺と独立した自由辺とされていることを特徴とする包装ケース。
【請求項２】
前面壁と側面壁の間に折り罫線が形成されており、該折り罫線は、側面壁の上辺の端部から側面壁の上下方向中途部まで伸びて形成されている請求項１に記載の包装ケース。
【発明の詳細な説明】
【技術分野】
【０００１】
本発明は、合成樹脂製シート材などを箱状に組み立てた包装ケースに関する。
【背景技術】
【０００２】
シャンプー、リンス、化粧品、飲料などを入れた成形容器、食品、飲料などを入れたパウチ容器などの各種の商品が、箱状の包装ケースに収納されて販売されている。通常、包装ケースは、所定形状の合成樹脂製シート材や紙などに折り罫線を形成し、該折り罫線に於いてシート材を折り曲げて、直方体状（６面箱状）に形成されている。
【０００３】
従来、この種の包装ケースの１つとして、所定形状のシートが折曲線で折り曲げられ、この折曲線の少なくとも１つが非直線状に形成されているものが知られている（特許文献１）。
かかる包装ケースは、立体感があり、看者の注意を惹きやすいという効果を有する。
【特許文献１】特開２００５−３３５７５８号公報
【発明の開示】
【発明が解決しようとする課題】
【０００４】
ところで、シャンプーなどを入れた容器（ブロー成形容器など）やパウチ容器（合成樹脂製シートの周縁部をシールした袋状容器）などの中には、デザインや自立安定性などの観点から、下方側が膨らんだ形状をしているものが多く用いられている。
このような下方側が膨らんだ形状をしている容器を、上記従来の包装ケース内に収納すると、容器の上方側と包装ケースの間に生じる空間が大きくなり、搬送中、容器が、包装ケース内で揺れ動いて位置ずれを起こし易い。特に、２つ以上の容器を１つの包装ケース内に収納する場合（例えば、シャンプー容器とリンス容器のセット販売の場合）、前記位置ずれを起こし易い。よって、前記空間に於いて商品が動かないようにするため、空間に、別部材（緩衝材等）が詰められている。
しかしながら、かかる別部材は、商品を包装ケースから取り出した後、廃棄されるものであり、包装ケースには、このような別部材を用いないことが好ましい。また、該別部材を包装ケースの上記空間内に詰める作業も必要となる。
【０００５】
そこで、本発明は、別部材を詰めなくても、収納する商品の形状に略適合しうる包装ケースを提供することを課題とする。
【課題を解決するための手段】
【０００６】
本発明の包装ケースは、シート材を折り罫線において折り曲げて箱状に組み立てた包装ケースであって、対向する前後面壁と、前後面壁間の上下に対向配置された上下面壁と、前後面壁間の両側に対向配置された両側面壁と、を有する略６面体状に形成され、上面壁の側辺が、下面壁の側辺よりも短く形成されており、側面壁の下辺が、下面壁の側辺よりも長く形成されていると共に、側面壁の下辺が、下面壁の側辺とは独立した自由辺とされていることを特徴とする。
【０００７】
上記包装ケースは、（側面壁の上辺に対応する）上面壁の側辺が、（側面壁の下辺に対応する）下面壁の側辺よりも短く形成されているので、包装ケースの側面壁は、台形状となる。
さらに、側面壁の下辺が、下面壁の側辺よりも長く形成されていると共に、側面壁の下辺が、下面壁の側辺と独立した自由辺とされている。このため、側面壁の下辺は、下面壁の側辺に規制されず、側面壁は、その下辺側に於いて外側へ膨らんだ略円弧状に形成することができる。
このように上記包装ケースは、側面壁が全体として台形状に形成され、且つ該側面壁の下方側が外側に膨らんだ形状となるので、上方側に比して下方側が膨らんだ形状の商品に略適合する。従って、包装ケース内に別部材を詰めなくても、商品の位置ずれを防止できる。
【０００８】
また、本発明の好ましい態様では、上記前面壁と側面壁の間に折り罫線が形成されており、該折り罫線は、側面壁の上辺の端部から側面壁の上下方向中途部まで伸びて形成されている上記包装ケースである。
通常、シート材から形成される箱状の包装ケースは、シート材を折り曲げ易くして箱状に組み立てるため、折り罫線が形成され、該折り罫線に於いて折り曲げられる。このため、包装ケースは、折り罫線の形成部分に於いて角張った形状となる。
上記本発明の好ましい態様の包装ケースは、前面壁と側面壁の間の折り罫線が、側面壁の上辺の端部から側面壁の上下方向中途部まで形成されているので、該折り罫線に於いて前面壁と側面壁を容易に折り曲げることができる。更に、折り罫線が形成されていない部分、すなわち、側面壁の上下方向中途部から側面壁の下辺までの間の部分においては、前面壁と側面壁の境界が角張らず、前面壁と側面壁の境界を曲面状に形成することができる。かかる包装ケースは、角張った形状の部分と曲面状の形状部分が上下に形成されるので、外観上、消費者の注意を惹きやすく、更に、下方側が曲面形状の商品に略適合するので好ましい。
【発明の効果】
【０００９】
本発明に係る包装ケースは、商品を収納した際、商品と包装ケースの間に緩衝材などの別部材を詰めなくても、収納した商品の位置ずれを防止できる。
【発明を実施するための最良の形態】
【００１０】
以下、本発明について、図面を参照しつつ具体的に説明する。
図１〜図３に於いて、１は、シート材を折り曲げて箱状に組み立てられた包装ケースを示す。
尚、方向を示す用語として、「上」は、包装ケースを自立させた状態に於いて、該自立させた面から離れる方向を、「下」は、前記自立させた面に近づく方向をいう。また、「前」とは、包装ケースを自立させた状態に於いて、包装ケースの１つの面側をいい、「後」とは、前記１つの面側と向かい合う面側をいう。
【００１１】
シート材としては、従来公知のものを使用でき、例えば、紙、合成樹脂製シート、これらの積層体などが挙げられる。シート材の厚みは、箱状に維持できる剛性を有する程度に形成され、合成樹脂製シートの場合には、厚み０．４〜１ｍｍ程度、紙の場合には、坪量２００〜５００ｇ／ｍ２程度のものが好ましい。合成樹脂シートを用いる場合には、その樹脂材料は特に限定されず、ポリプロピレンやポリエチレンなどのポリオレフィン系、ポリスチレン系、ポリエステル系などの汎用樹脂が例示される。
また、収納した商品を外部から透視できるようにするため、シート材としては、無色透明または有色透明な合成樹脂製シートを用いることが好ましい。
【００１２】
この包装ケース１は、対向配置された前後一対の前面壁２及び後面壁３（前後面壁２，３）と、前後面壁２，３間の上下に於いて対向配置された上面壁４及び下面壁５（上下面壁４，５）と、前後面壁２，３間の両側に於いて対向配置された右側面壁６及び左側面壁７（両側面壁６，７）と、を有する６面体から構成されている。
【００１３】
図４は、上記包装シート１を構成する所定形状に形成されたシート材９の展開図を示す。
かかる展開状のシート材９を適宜な折り罫線で折り曲げ、両側面壁６，７に於いて接着することにより、箱状の包装シート１が構成されている。なお、展開したシート材９に付した符号は、上記包装シート１の各構成要素に対応するものである。
【００１４】
前後面壁２，３は、長方形状に形成されており、前面壁２の上辺には、第１折り罫線１１を介して上面壁４の前辺が連設されている。
【００１５】
本実施形態では、上面壁４は、包装ケース１内に商品を出入れするための開口部を開閉する蓋部として用いられている。具体的には、上面壁４の前辺は、第１折り罫線１１を介して前面壁２の上辺に連設され、該上面壁４の後辺には、第２折り罫線１２を介して延出片４１が連設されている。この延出片４１には、上面壁４を係止するための係止片４２が形成されている。一方、後面壁３の上辺には、第３折り罫線１３を介してフラップ片４３が連設されていると共に、後面壁３の上方部には、長穴３１が形成されている。この長穴３１は、後面壁３の面内に略Ｃ字状に形成された切込み線３２で囲われる領域を内側へ押し込むことによって形成される。包装ケース１の開口部は、上記フラップ片４３を第３折り罫線１３に於いて略９０度に折り曲げ、その上に、上面壁４を第１折り罫線１１及び第２折り罫線１２に於いて略９０度に折り曲げ、延出片４１の係止片４２を後面部３の長穴３１に嵌め入れることにより、上面壁４によって閉塞されている。
【００１６】
また、前面壁２の下辺には、第４折り罫線１４を介して下面壁５の前辺が連設され、後面壁３の下辺には、第５折り罫線１５を介して下面壁５の後辺が連設されている。
この下面壁５の面内には、側辺方向中央部（下面壁５の前辺と後辺に直交する直線の中心部）に於いて、該下面壁５の前辺及び後辺と平行に伸びる第６折り罫線１６が形成されている。
【００１７】
この下面壁５の前辺及び後辺は、図４に示すように、上面壁４の前辺及び後辺よりも短く形成されている。さらに、上面壁４の側辺の長さ（上面壁４の前辺と後辺の間隔）は、下面壁５の側辺の長さ（下面壁５の前辺と後辺の間隔）よりも短く形成されている。
【００１８】
一方、前面壁２の両側辺には、それぞれ第７折り罫線１７，１７を介して一対の側面壁６，７が連設されている。この両側面壁６，７は、第８折り罫線１８を介して後面壁３の両側辺に連設されている。両側面壁６，７の面内には、側辺方向中央部（前面壁２の側辺と後面壁３の側辺に直交する直線の中心部）に於いて、前面壁２の側辺及び後面壁３の側辺と平行に伸びる第９折り罫線１９がそれぞれ形成されている。
【００１９】
両側面壁６，７の上辺は、上面壁４の側辺と略同じ長さに形成されている。また、両側面壁６，７の下辺は、下面壁５の側辺よりも長く形成されている。この両側面壁６，７の下辺と下面壁５の側辺は、連設されておらず、両側面壁６，７の下辺は、下面壁５の側辺とは離れて独立した自由辺とされている。
なお、「両側面壁６，７（右側面壁６及び左側面壁７）の下辺」とは、下面壁５の前辺の一端部５ａを始点とした場合、該端部５ａから第９折り罫線１９の下端部１９ａを通り、下面壁５の後辺の一端部５ｂに至るまでの間の長さに相当する。また、「下面壁５の側辺」とは、下面壁５の前辺の一端部５ａと下面壁５の後辺の一端部５ｂを直線で結んだ場合に、その直線の長さに相当する。
【００２０】
本実施形態では、両側面壁６，７は、図４に示すように、第７折り罫線１７を介して前面壁２に連設された本体片６１，７１と、第８折り罫線１８を介して後面壁３の側辺に連設された糊代片６２，７２と、から構成されている。両側面壁６，７は、前記本体片６１，７１のうち第１９折り罫線１９を基準にその外側領域に、糊代片６２，７２を接着することによって形成されている。
【００２１】
上記第７〜第９折り罫線１７〜１９は、上面壁４に対して略直交する直線状に形成され、第１〜第６折り罫線１１〜１６は、第７折り罫線１７に対して略直交する直線状に形成されている。
これら第１〜第９折り罫線１１〜１９は、シート材を折り曲げ易くするために形成されるもので、例えば、ハーフカット線（シート材の厚み方向に切り込んだ略Ｖ字状の凹部が連続した線）や、ミシン目線（ミシン針の縫い目跡の如く、シート材の厚み方向に貫通する切断部が断続的に形成された線）などを用いることができる。
【００２２】
上記包装ケース１は、図４に示す展開状のシート材９を、第４折り罫線１４、第５折り罫線１５、第７折り罫線１７及び第８折り罫線１８に於いて折り曲げ、本体片６１，７１の第９折り罫線１９よりも外側領域を糊代片６２，７２に接着することにより、上面に開口部が形成された包装ケース１が形成される。この上面開口型の包装ケース１は、第３折り罫線１３に於いてフラップ片４３を折り曲げ、その上から、第１折り罫線１１及び第２折り罫線１２に於いて上面壁４を折り曲げ、係止片４２を長穴３１に係止させることにより、閉塞される。
なお、展開したシート材９に於いて、６３，７３は、両側面壁６，７の上辺に連設されたフラップ片を示し、該フラップ片６３，７３の中央部には、第９折り罫線１９が延設されている。このフラップ片６３，７３は、上記フラップ片４３と同様に、上面壁４の下側に折り曲げられて、包装ケース１の開口部を閉塞する片として機能する。
【００２３】
上記包装ケース１は、保管などの際には、図５及び図６に示すように、扁平状に折り畳むことができる。
すなわち、上記包装シート１１は、上面壁４の係止片４２を後面壁３の長穴３１に係止させず、第６折り罫線１６及び第９折り罫線１９に於いて山折りすることにより、扁平状に折り畳むことができる。
【００２４】
上記構成からなる包装ケース１は、上面壁４の側辺の長さが、下面壁５の側辺の長さよりも短く形成されているので、包装ケース１の側面壁６，７は、図３に示すように、側面壁６を正面として視た場合に、台形状となる。
さらに、側面壁６，７の下辺が、下面壁５の側辺よりも長く形成されていると共に、側面壁６，７の下辺が、下面壁５の側辺に連設されておらず、独立した自由辺とされているので、図１及び図２に示すように、側面壁６，７は、その下辺側に於いて外側へ膨らんだ略円弧状となる。
このように上記包装ケース１は、側面壁６，７が全体として台形状に形成され、且つ該側面壁６，７の下方側が外側に膨らんだ形状となる。このため、例えば、図１に示すように、包装ケース１内に、上方側に比して下方側が膨らんだ形状の商品１０を収納した際、該商品１０の上方側及び下方側の前後面が前後面壁２，３に接し、且つ商品１０の下方側の側面が側面壁６に接する。よって、商品１０と包装ケース１の間に別部材を詰めなくても商品１０が動き難く、搬送などの際に、包装ケース１内に収納した商品１０が偏ることを防止できる。
また、側面壁６，７の下辺が、下面壁５の側辺よりも長く形成され、且つ独立した自由辺とされているので、側面壁６，７の下方側は、収納する商品１０の形状に応じて適宜な形状に変形し得る。このため、上記包装ケース１は、様々な形状の商品に略適合しうる。
【００２５】
なお、包装ケース１の前後面壁２，３を大きく形成することにより、図１に示すように、２つの商品（例えば、シャンプー容器とリンス容器など）を並べて収納することもできる。また、包装ケース１の大きさを適宜設計することにより、特に図示しないが、３つ以上の商品を収納することも可能である。
【００２６】
次に、本発明の包装ケース１の他の実施形態を示す。ただし、下記他の実施形態の説明に於いて、主として上記実施形態と異なる構成について説明し、同様の構成については、上記実施形態と同じ用語及び符号を付し、図面に符号を付すだけにして、その説明を適宜省略するものとする。
【００２７】
図７及び図８に示す包装ケース１は、前面壁２と両側面壁６，７の間に形成された第７折り罫線１７が、側面壁６，７の上辺６ａの端部から側面壁６，７の上下方向中途部まで形成されている。なお、図９は、本変形例の包装ケース１を構成するシート材９の展開図を示す。
上記実施形態の包装ケース１（図１〜図３に示す包装ケース）は、第７折り罫線１７が側面壁６，７の上辺から下辺にまで形成されているが、本変形例の包装ケース１は、第７折り罫線１７が中途部までしか形成されていない点で、上記実施形態と異なる。
【００２８】
本変形例の包装ケース１は、第７折り罫線１７の下端部１７ａから側面壁６の下辺６ｂまでの間に折り罫線が存在しないので、その間に於ける前面壁２と両側面壁６，７の境界を曲面状に形成することができる。一方、第７折り罫線１７の形成部分においては、前面壁２と側面壁６，７の境界は、角張った形状となる。このように該包装ケース１は、角張った形状の部分と曲面状の形状部分が上下に形成されるので、外観上、消費者の注意を惹きやすくなる。また、該包装ケース１は、前面壁２と両側面壁６，７の下方側が、曲面状となるため、下方側が曲面形状の商品に更に適合し易くなる。
なお、前面壁２と側面壁６，７の間には、第７折り罫線１７が形成されているので、前面壁２と側面壁６，７の折り曲げも容易に行える。
【００２９】
なお、特に図示しないが、後面壁３と側面壁６，７の間に形成される第８折り罫線１８を、上記第７折り罫線１７と同様に、上下方向中途部まで形成するように変更することもできる。
【００３０】
図１０に示す包装ケース１は、上面壁４の前辺及び後辺の長さが、上記実施形態の包装ケース１（図１〜図３に示す包装ケース）の上面壁４の前辺及び後辺よりも少し短く形成されている点で、上記実施形態と異なる。なお、図１１は、本変形例の包装ケース１を構成するシート材９の展開図を示す。
本変形例１の包装ケース１は、前面壁２（及び後面壁３）の正面視形状を台形状に形成できる。
【００３１】
図１２に示す包装ケース１は、下面壁５の前辺及び後辺の長さが、図１〜図３に示す上記実施形態の包装ケース１の下面壁４の前辺及び後辺よりも、少し短く形成されている点で、上記実施形態と異なる。なお、図１３は、本変形例の包装ケース１を構成するシート材９の展開図を示す。
本変形例１の包装ケース１は、前面壁２（及び後面壁３）の正面視形状を逆台形状に形成できる。
【００３２】
図１４に示す包装ケース１は、第７折り罫線１７が、上下方向中央部に向かうに従って前面壁２側へ湾曲した形状に形成されている点で、上記実施形態と異なる。なお、図１５は、本変形例の包装ケース１を構成するシート材９の展開図を示す。
本変形例１の包装ケース１は、前面壁２の正面視形状を、前面壁２の側辺が内側に湾曲した形状に形成できる。
【００３３】
図１６に示す包装ケース１は、第７折り罫線１７が、上下方向中央部に向かうに従って側面壁６，７側へ湾曲した形状に形成されている点で、上記実施形態と異なる。なお、図１７は、本変形例の包装ケース１を構成するシート材９の展開図を示す。
本変形例１の包装ケース１は、前面壁２の正面視形状を、前面壁２の側辺が外側に湾曲した形状に形成できる。
【図面の簡単な説明】
【００３４】
【図１】一実施形態の包装ケースを前面壁側から視た斜視図。ただし、収納される商品を二点差線で示している。
【図２】同包装ケースを後面壁側から視た斜視図。
【図３】同包装ケースの右側面図。
【図４】同包装ケースを構成するシート材の展開平面図。ただし、シート材に形成された全ての折り罫線を一点鎖線で示している（以下、シート材の他の展開平面図についても同様）。
【図５】同包装ケースを扁平状に折り畳んだ状態の平面図。
【図６】図５のＡ−Ａ線端面図。
【図７】他の実施形態の包装ケースを前面壁側から視た斜視図。
【図８】同右側面図。
【図９】同包装ケースを構成するシート材の展開平面図。
【図１０】他の実施形態の包装ケースを前面壁側から視た斜視図。
【図１１】同包装ケースを構成するシート材の展開平面図。
【図１２】他の実施形態の包装ケースを前面壁側から視た斜視図。
【図１３】同包装ケースを構成するシート材の展開平面図。
【図１４】他の実施形態の包装ケースを前面壁側から視た斜視図。
【図１５】同包装ケースを構成するシート材の展開平面図。
【図１６】他の実施形態の包装ケースを前面壁側から視た斜視図。
【図１７】同包装ケースを構成するシート材の展開平面図。
【符号の説明】
【００３５】
１…包装ケース、１１〜１９…折り罫線、２…前面壁、３…後面壁、４…上面壁、５…下面壁、６…右側面壁、７…左側面壁、９…シート材
【図１】
2008239241.tif 000003
【図２】
2008239241.tif 000004
【図３】
2008239241.tif 000005
【図４】
2008239241.tif 000006
【図５】
2008239241.tif 000007
【図６】
2008239241.tif 000008
【図７】
2008239241.tif 000009
【図８】
2008239241.tif 000010
【図９】
2008239241.tif 000011
【図１０】
2008239241.tif 000012
【図１１】
2008239241.tif 000013
【図１２】
2008239241.tif 000014
【図１３】
2008239241.tif 000015
【図１４】
2008239241.tif 000016
【図１５】
2008239241.tif 000017
【図１６】
2008239241.tif 000018
【図１７】
2008239241.tif 000019